(57)【要約】壁に連結できる土台を持つ吊し用器具。複数の水平配置の保持器具は土台前面に延び、各保持器具は互いにずれた一対の保持器具部材を含む。この部材を互いに可動的に移動して衣類のような品物をその間に吊すように挿入できるように配置する。
2007534366.tif 000002
【特許請求の範囲】
【請求項１】
吊し用器具が、
裏側と前側を有する土台と、
劾前側と連結し且つそこから外側に延びた第一保持部材と、
劾第一保持部材に隣接配置の第二保持部材と、
劾第二保持部材を劾第一保持部材にずらせる第一手段と、
衣類を劾保持部材間に吊すように同じ手で挿入するように力をかけた場合、劾第一許容手段から劾力を解除しても衣類が保持部材間で保持部材により支持的に保持できるヒトの手部分で劾バイアス手段をずらすことができる第一手段を含む吊し用器具。
【請求項２】
劾土台が水平床支持部表面に対して垂直配置の長軸を持つ細長い請求項１の吊し用器具。
【請求項３】
劾第一保持部材が劾前側から外側に広がった端部を含む請求項１の吊し用器具。
【請求項４】
劾第一保持部材が硬い請求項１の吊し用器具。
【請求項５】
劾第二保持部材が硬い請求項１の吊し用器具。
【請求項６】
劾保持部材の少なくとも一つがそれらの間の接点に隣接したうね表面を含む請求項１の吊し用器具。
【請求項７】
劾前側が、劾土台を垂直支持部に取り付けるとき、劾前側の上端が劾前側の下端より劾垂直支持部からより外側に配置できるように、垂直支持部に対して前もって決めた角度を持つように配置した請求項１の吊し用器具。
【請求項８】
劾前側が劾裏側とちょうつがい的に連結した請求項７の吊し用器具。
【請求項９】
劾前側を劾裏側にかける掛けがねを含む請求項８の吊し用器具。
【請求項１０】
劾第一バイアス手段が彎曲バネ金属を含む請求項１の吊し用器具。
【請求項１１】
劾器具が衣類の自由端部を劾バイアス手段のバネ力定数に打ち勝つに十分な力で引っ張って保持衣類を取り外すことができる請求項１の吊し用器具。
【請求項１２】
劾保持部材の一つが劾第一許容手段を含む請求項１の吊し器具。
【請求項１３】
劾前側に連結し且つそこから外側に延び、且つ劾第一保持部材から縦に間隔を持つ第三保持部材、劾第三保持部材に隣接配置の第四保持部材、劾第四保持部材が劾第三保持部材にずれる第二手段、衣類を劾第三保持部材と第四保持部材間に同じ手で吊すように挿入するよ力をかけたとき、劾力を劾第二許容手段から解除しても衣類を劾保持部材間で劾保持部材により支持的に保持できる劾バイアス手段によりヒトの手部分でずらすことができる第二手段を含む請求項１の吊し用器具。
【請求項１４】
劾土台が水平床支持部表面に対して垂直配置の長軸を持つ細長い請求項１３の吊し用器具。
【請求項１５】
劾第二許容手段が劾第三保持部材と第四保持部材の一つの部品である請求項１４の吊し用器具。
【請求項１６】
劾第一保持部材と第二保持部材が劾第三保持部材と第四保持部材に対して千鳥型である請求項１４の吊し用器具。
【請求項１７】
劾裏側が垂直支持部に取り付けるように配置した請求項１の吊し用器具。
【請求項１８】
劾土台が劾土台を壁に固定的に連結する手段を含む請求項１の吊し用器具。
【請求項１９】
劾土台をドアに支持的に連結する手段を含む請求項１の吊し用器具。
【請求項２０】
劾土台を水平床支持部表面上に配置の水平支持部に支持的に連結する手段を含む請求項１の吊し用器具。
【発明の詳細な説明】
【背景技術】
【０００１】
本出願が２００４年１月１５日出願の米国シリーズ番号１０／７５８，５５６と２００４年５月２５日に出願の米国シリーズ番号１０/＿＿＿に対し優先権を主張する。
【技術分野】
【０００２】
本発明は通常整理器具とホルダーに関し、より詳しくは限られたスペースで複数のズボンや類似物を吊す器具に関する。
【０００３】
ズボン、スカートや類似物用の在来ハンガーでは通常一つの衣類を水平棒にかけ、上フックをクローゼットの竿に吊す。多くの場合格納に必要な衣類数が利用できるスペースやハンガーより大となる。この問題により衣類格納を最大化するための解決法提供を試みたいくつかの先行技術器具が開発されてきた。
【０００４】
このような整理器具としてはクローゼットの壁かクローゼットの既存水平棒に取り付けるテレスコープ型支持部、棚、回転棚がある。これに適した他の先行棚や吊し用器具としては縦に間隔をあけた複数の水平支持腕を回転できるように連結し、ズボン、スカートや別タイプの衣類をそこから吊せるようにした縦に伸びる柱がある。衣類をこれらの腕に吊すと、衣類は放射状に間隔をあけ、らせん型をとる。これらの内のいくつかには整理器具をクローゼットの壁に固定するテレスコープ型ブラケットがある。
【０００５】
クローゼットでの格納を最大化する事でいくつかの進歩はあったが、クローゼットスペースを更に節約し、より簡単に使用でき、且つ衣類がしわの寄らないように確実に衣類を保持できる改良型衣類吊し用器具を提供する必要性が依然としてある。
【発明の開示】
【０００６】
本発明の目的は衣類吊し用器具を提供することである。
【０００７】
他の目的はクローゼットスペース利用の最大化である。
【０００８】
更に他の目的は複数の衣類（ズボンと類似物）を限られたスペースでズボンや類似物にしわを作ること無しに吊す能力を提供することである。
【０００９】
他の目的は選んだ衣類のいずれかの一つに複数の残り衣類用ハンガーを動かすことなしに近づけることである。
【００１０】
本発明の器具は縦支持部か壁と連結できる細長い土台を含み、この土台の長軸は縦に配置する。複数の水平配置の保持器具は土台の前面に延び、各保持器具は互いにずれた一対の保持器具部材を含む。本部材は互いに可動的に移動し、その間に衣類のような品物を吊すよう容易に挿入できる。
【００１１】
土台を壁に取り付けると、その前面は土台下部より壁から更に移動した土台上部とある角度を持つように配置できる。例えばズボンの裾を本保持器具に吊すと、最上位に吊したズボンは一番高く吊され、壁から一番遠くに移動する。保持器具は一つが他の上にくるよう配置し、互いに間隔が開くようにすると、ズボンを例えば面内に収容するに十分なスペースをもたらす。ここに示し記載したように衣類を取り付けると、使用者は品目のいずれかの一つに近づき、ズボンを引き下ろし、単に保持部材のいずれかの選択対間のバイアス張力を解放できる。次いで衣類を他のいずれの衣類を乱すことなしに取り外せる。土台をクローゼット内の支持部に固定するための種々な手段が提供される。
【発明を実施するための最良の形態】
【００１２】
本発明に関して今から衣類吊し用器具を通常番号１０、１００、２００、３００及び４００と指定する。類似番号は類似部品を指し、それに応じて識別する。衣類吊し用器具１０は好ましくは開口１６を配置できる裏側１４を持つ細長い土台１２を含む。ねじのような留め具１８を開口１６に挿入でき、土台１２を裏側１４は通常壁Ｗと同一平面となるように壁Ｗに連結する。
【００１３】
土台１２の前側２０は好ましくは壁Ｗと前もって決めた角度を持たせる。この点で前側２０の上端２２を下端２４より壁Ｗからより外側に配置する。
【００１４】
前側２０は土台１２の縦軸３０対して通常水平に配置した複数の保持器具２６を含む。保持器具２６は例えばズボンＰを解除可能なように保持する。保持器具２６は別タイプの衣類を保持できように考慮する。図１Ｂと２Ｂに示すように、ズボンは隣に吊したズボンＰを移動する必要なしにその挿入と取り外しに容易に近づけるように互いに間隔を持たす。各対は維持点の近くで通常面内に置く。
【００１５】
保持器具２６とその構成ようそを図３−７に示す。保持器具２６として次いで側部３８と連結する横部分３６に連結した外広がり側部３４を有する保持部材３２を含む。側部３８は例えば留め具や他の連結手段により前側２０に取り付ける。彎曲バネ金属のようなバイアス要素４０を側部３４に隣接して同一物よりずらすよう操作可能に配置する。
【００１６】
保持板４２は横中央部分４４と側部分４６を有することができる。実施例の目的で図４に横に間隔を持ち二つの保持部材３２でその間に配置の保持板４２を持つものを示した。又横に間隔を持ち保持部材３２の横側３４と概ね並び延びた板４２から延びたうね表面４８を備えている。図５に示すように板４２が通常保持部材３２の側部３４と接触するようずらして板４２はバイアス要素４０と連結する。
【００１７】
ズボンＰのような衣類を挿入するため、図１５に示すようにヒトの指関節を用いて板４２を押し下げてズボンＰを挿入でき、単にズボンＰを引き下ろして取り外せる。一旦挿入すると図６に示すように、バイアス要素４０をズボンＰに対しうね表面４８を持つ板４２を側部３４内にずらす。図７に示すようにズボンＰをバイアス要素４０のバネ力により保持する。うね表面４８は衣類保持を助けるように滑らかで、しかも引っ張る力を十分に加えると衣類が解放できる。図１５に示すように衣類を挿入できる力をかけ、同じ手で保持板４２と保持部材３２の間に吊す場合、側部４６はバイアス要素４０をヒトの手部分でずらせる手段として働き、かけた力を解除しても衣類を支持的に保持できる。
【００１８】
図２Ｂに土台１２‘を持つ吊し用器具１００の別実施形態を示す。ここで土台１２’は各下端２４‘と２５’で各上端２１‘と２２’と連結したちょうつがい２７‘で前側２０’とちょうつがい的に連結した裏側１４‘を含む。本実施形態では前側２０’は壁Ｗから延び保持衣類に容易に近づけるか、横側１４‘に折り畳まれラッチ機構２９’により保持してクローゼットのスペースを更に節約できる。
【００１９】
図１Ｅ、２Ｃ、１６−２１及び２６−２８に吊し用器具２００を示す。ここでは保持器具２２６は横部分２３６と連結した外側広がり側部２３４を持ち、次いで土台２２０の凹型表面部分と連結した保持部材２３２を含む。土台２２０はねじ穴２３８を有し、ねじ２４０を通してねじが挿入され、保持部材２３２のねじ込み開口２４２と連結する。
【００２０】
彎曲バネ金属のようなバイアス要素２４４を保持板２５２が保持部材２３２にずれるよう凹型表面２３７に隣接して操作可能なように配置する。バイアス要素２４４はねじ穴２３８とねじ込み開口２４２と同列に並び、そこでねじ２４０を受け、保持部材２３２と土台２２０間のバイアス要素２４４を固定する孔２４６を有する端部２４７を含む。バイアス要素２４４の端２４８は同一物を保持板２５２内に保持するの助けるのに用いる開口２５０を含む。この点で保持板２５２として、例えば接着法で配置維持するか、端部２４８を保持板２５２形成時に成型工程の一部で挿入できる小孔２５４を含む。開口２５０は成型材料の一部を受けるか、接着してバイアス要素２４４を保持板２５２に固定する働きをする。保持板２５２としては図１６に示すように、保持板２５２と保持部材２３２間に吊すように同じ手で衣類を挿入させる力をかけた場合、バイアス要素２４４がヒトの手部分でずれさせる手段として働く端部２５３を含み、かけた力を解放してもその間に衣類が支持的に保持できる。保持板２５２は又吊したときに衣類を支えるのを更に助けるツメ２５５を含む。それ以外は保持板２５２は上記の保持板４０に記載のものと機能的に類似しており、保持部材２３２とバイアス要素２４４に関して同様に働く。
【００２１】
図２Ｃに壁Ｗに直接取り付けた土台２２０を示す。これはねじやウオールボード接合具（示していない）のような接合具を用いて行われ、土台取り付け開口２５６（図１８と２１に示す）に挿入する。
【００２２】
図２５は棚Ｓと壁Ｗを持つクローゼットＣで図１Ｅ実施形態を設置する一形態を示す。数個の開口２５６を用いて止め金２６０を止め金２６０の開口２６３（図１７参照）、ねじ及び固定ワッシャ止めねじ２６２により固定できる。ここで止め金２６０は棒Ｒに吊すことができ、締め金２７０を用いて土台２２０を壁Ｗに連結できる。締め金２７０は二個の部材２７２と２７４を含み、部材２７２は開口２５６と開口２８０を有する板２７８を含む部材２７４を通してねじ２７６により基盤２２０に固定し、適切な壁接合具２８１を用いて部材２７４を壁Ｗに固定する。部材２７２と２７４としてはねじ２８６を受ける協同開口２８２と小孔２８４を含み、ナット２８８を用いて部材２７２と２７４を適所に固定できる。小孔２８４は締め金２７０の取り付け可能な範囲の深さが可能となるように細長く延びる。図２６に土台２２０をねじ２９０により開口２５６を通して棚Ｓに直接取り付けたクローゼットＣへの取り付けの別様態を示す。
【００２３】
図２７に止め金２６０を用いてドアＤに器具２００を取り付けたものを示し、止め金２６０の上部と連結する。図２８に土台２２０を止め金２６０の下部に取り付けたドアＤに取り付けの別様態を示す。
【００２４】
図２２−２４に器具２００の実施形態と類似の別実施形態３００を示す。小孔３０２を土台３２０に形成する。保持部材３３２と保持板３５２は保持部材２３２と保持板２５２と類似である。ここでバイアス要素３４４はより長く、小孔３０２により機能的に受ける彎曲３４７を含む。要素３４４はねじ３６２により開口３４６から土台３２０の裏面３１４に取り付ける。
【００２５】
図１Ｄは関係が千鳥型の保持器具２６を持つ吊し用器具４００を示す。このようにして少なくともズボンＰのような品物の側部分を他の吊し品を移動する必要なしにその選択を助ける事を見ることができる。
【００２６】
図３に示すように保持部材２６は弓形中央部分４４を有する。このデザインではより分厚い材料で縫い目部分のある部分を中央部分４４の近くにより容易に挿入できる。
【００２７】
図１３Ａでは保持部材３２‘は保持部材３２’を適切場所にスナップ固定するために前側２０‘の溝３１’を通して前側２０‘に切り込まれた縦溝２３’に挿入する短い側部３８‘を含む。別の溝３３’が溝２３‘からその下に縦に移動する。図８と１３Ａに示すように、バネ４０’を溝２３‘に配置の一側部４１’と、板４２‘の小孔４５’に配置の他側部４３‘として溝４７’を通して用いる。バネ４０と４０‘の形状は本発明の意図した使用である限り変化できる。
【００２８】
図１４Ａと１４Ｂに別の保持部材３２“を示す。部材３２”は前側２０“の穴３１”に圧入できる柱３８“を含み、このように柱３８”を受けられるように配置する。
【００２９】
上述の要素を備えることで、図１５に示すように本発明はバイアス手段をヒトの手部分、例えば指関節で圧縮できると同時に、例えばヒトの指で保持部材間に衣類を同じ手を挿入できる手段を含む。この挿入により、衣類を保持部材間で保持部材により支持的に保持できる。衣類を取り外すには、所望の衣類をつかみバイアス要素４０のバネ力定数に打ち勝つように引き下ろすことだけが必要である。本発明では衣類を吊すことを記述したが、本発明は例えば建築設計や類似物のような他品にも有用である。
【００３０】
上に記述の実施形態は実施例の目的で示したが、本発明を制限する目的のためではない。技術の熟知者には本発明の範囲から逸脱せずに、実施形態の明白な改良物、派生物や変形物が作れることはすぐに分かる。従ってここに付帯した特許請求の範囲はこの改良物、派生物や変形物のいずれかを含む全範囲内と考えるべきである。
【図面の簡単な説明】
【００３１】
【図１Ａ】本発明実施形態の前面図である。
【図１Ｂ】使用中の図１Ａ実施形態の前面図である。
【図１Ｃ】図１Ａ実施形態の平面図である。
【図１Ｄ】本発明で使用の保持器具の千鳥型変形を示す。
【図１Ｅ】本発明別実施形態の前面図である。
【図２Ａ】図１Ａ実施形態の側面図である。
【図２Ｂ】使用時の本発明別実施形態の側面図である。
【図２Ｃ】図１Ｅに示した実施形態の側面図である。
【図３】図４に示した保持器具の上面斜視図である。
【図４】図３の保持器具の前面図である。
【図５】本発明保持器具の側面図である。
【図６】使用モードが開いた図５保持器具の側面図である。
【図７】使用モードが閉じた図５保持器具の側面図である。
【図８】図４保持器具部品の一部図である。
【図９】バイアス部材を一部挿入した図８の線９−９での断面図である。
【図１０】バイアス部材を挿入した図９の別断面図である。
【図１１Ａ】保持器具の別部品の断面図である。
【図１２Ａ】バイアス部材を挿入した土台前側の部分的前面図である。
【図１２Ｂ】バイアス部材無しでの図１２Ａの線１２−１２での断面図である。
【図１２Ｃ】バイアス部材を挿入した図１２Ａの線１２−１２での断面図である。
【図１３Ａ】本発明保持器具実施形態部品の断面図である。
【図１３Ｂ】図１３Ａに示した線１３Ｂ―１３Ｂでの本発明の部分的平面図である。
【図１４Ａ】本発明保持器具の実施形態部品の断面図である。
【図１４Ｂ】図１４Ａに示した線１４Ｂ−１４Ｂでの本発明の部分的平面図である。
【図１５】本発明実施形態の使用を示す斜視図である。
【図１６】本発明実施形態の使用を示す前面斜視図である。
【図１７】図１Ｅ実施形態の一部の側面図である。
【図１８】図１Ｅ実施形態の一部の前面図である。
【図１９】図１Ｅ実施形態部品の前面図である。
【図２０】図１９の線２０−２０での断面図を示す。
【図２１】図１８の背面図を示す。
【図２２】更に別実施形態の一部の側面図を示す。
【図２３】図２２の一部の背面図を示す。
【図２４】図２２の部品の断面図を示す。
【図２５】図１Ｅ実施形態をクローゼットへ据え付ける一形式を示す側面図である。
【図２６】図１Ｅ実施形態をクローゼットへ据え付ける別形式を示す側面図である。
【図２７】図１Ｅ実施形態をドアへ据え付ける一形式を示す側面図である。
【図２８】図１Ｅ実施形態をドアへ据え付ける別形式を示す側面図である。
【図１Ａ】
2007534366.tif 000003
【図１Ｂ】
2007534366.tif 000004
【図１Ｃ】
2007534366.tif 000005
【図１Ｄ】
2007534366.tif 000006
【図１Ｅ】
2007534366.tif 000007
【図２Ａ】
2007534366.tif 000008
【図２Ｂ】
2007534366.tif 000009
【図２Ｃ】
2007534366.tif 000010
【図３】
2007534366.tif 000011
【図４】
2007534366.tif 000012
【図５】
2007534366.tif 000013
【図６】
2007534366.tif 000014
【図７】
2007534366.tif 000015
【図８】
2007534366.tif 000016
【図９】
2007534366.tif 000017
【図１０】
2007534366.tif 000018
【図１１Ａ】
2007534366.tif 000019
【図１２Ａ】
2007534366.tif 000020
【図１２Ｂ】
2007534366.tif 000021
【図１２Ｃ】
2007534366.tif 000022
【図１３Ａ】
2007534366.tif 000023
【図１３Ｂ】
2007534366.tif 000024
【図１４Ａ】
2007534366.tif 000025
【図１４Ｂ】
2007534366.tif 000026
【図１５】
2007534366.tif 000027
【図１６】
2007534366.tif 000028
【図１７】
2007534366.tif 000029
【図１８】
2007534366.tif 000030
【図１９】
2007534366.tif 000031
【図２０】
2007534366.tif 000032
【図２１】
2007534366.tif 000033
【図２２】
2007534366.tif 000034
【図２３】
2007534366.tif 000035
【図２４】
2007534366.tif 000036
【図２５】
2007534366.tif 000037
【図２６】
2007534366.tif 000038
【図２７】
2007534366.tif 000039
【図２８】
2007534366.tif 000040
【手続補正書】
【提出日】平成17年3月15日(2005.3.15)
【手続補正１】
【補正対象書類名】特許請求の範囲
【補正対象項目名】全文
【補正方法】変更
【補正の内容】
【特許請求の範囲】
【請求項１】
吊し用器具が、
裏側と前側を有する土台と、
該前側と連結し且つそこから外側に延びた第一保持部材と、
該第一保持部材に隣接配置の第二保持部材と、
該第二保持部材を該第一保持部材にずらせ、そして
加えた力により該保持部材を移動するよう該バイアス手段を作動させる別のアクセスが可能な該第一保持部材と該第二保持部材の一つから横に延び、そして該第二保持部材を該第一保持部材から移動させ、同じ手で該保持部材間に品物を吊すように挿入するため力を該許容手段にかけ、該第一許容手段から該力を取り除いても、少なくとも該品物の一部は該保持部材間で該保持部材により支持的に保持できる場合、該バイアス手段をヒトの手部分でずらせられるような第一手段を含む吊し用器具。
【請求項２】
該土台が細長く、水平床支持材表面に対して垂直配置の長軸を持つ請求項１記載の吊し用器具。
【請求項３】
該第一保持部材が該前側から外側に広がった端部を含む請求項１記載の吊し用器具。
【請求項４】
該第一保持部材が硬い請求項１記載の吊し用器具。
【請求項５】
該第二保持部材が硬い請求項１記載の吊し用器具。
【請求項６】
該保持部材の少なくとも一つが該保持部材間の接点に隣接したうね表面を含む請求項１記載の吊し用器具。
【請求項７】
該前側が該土台を垂直支持部に取り付けるとき、該前側の上端が該前側の下端より該垂直支持部からより外側に配置するように、垂直支持部に対して前もって決めた角度を取るように配置した請求項１記載の吊し用器具。
【請求項８】
該前側が該裏側とちょうつがい的に連結した請求項７記載の吊し用器具。
【請求項９】
該前側を該裏側にかける掛けがねを含む請求項８記載の吊し用器具。
【請求項１０】
該第一バイアス手段が彎曲バネ金属を含む請求項１記載の吊し用器具。
【請求項１１】
該器具が衣類の自由端部を該バイアス手段のバネ力定数に打ち勝つに十分な力で引っ張って保持衣類を取り外せる請求項１記載の吊し用器具。
【請求項１２】
該保持部材の一つが該第一許容手段を含む請求項１記載の吊し器具。
【請求項１３】
該前側に連結し且つそこから外側に延び、且つ該第一保持部材から縦に間隔をあけた第三保持部材、該第三保持部材に隣接配置の第四保持部材、該第四保持部材を該第三保持部材にずらせ、そして
加えた力により該保持部材を移動するよう該バイアス手段を作動させる別のアクセスが可能な該第三保持部材と該第四保持部材の一つから横に延び、そして該第四保持部材を該第三保持部材から移動させ、同じ手で該保持部材間に品物を吊すように挿入するため力を該許容手段にかけ、該第二許容手段から該力を取り除いても、少なくとも該品物の一部は該保持部材間で該保持部材により支持的に保持できる場合、該バイアス手段をヒトの手部分でずらせられるような第二手段を含む吊し用器具。
【請求項１４】
該土台が細長く、水平床支持部表面に対して垂直配置の長軸を持つ請求項１３記載の吊し用器具。
【請求項１５】
該第二許容手段が該第三保持部材と第四保持部材の一つの部分である請求項１４記載の吊し用器具。
【請求項１６】
該第一保持部材と該第二保持部材が該第三保持部材と該第四保持部材に対して千鳥型である請求項１４記載の吊し用器具。
【請求項１７】
該裏側が垂直支持部に取り付けるように配置した請求項１記載の吊し用器具。
【請求項１８】
該土台が該土台を壁に固定的に連結する手段を含む請求項１記載の吊し用器具。
【請求項１９】
該土台をドアに支持的に連結する手段を含む請求項１記載の吊し用器具。
【請求項２０】
該土台を水平床支持部表面上に配置の水平支持部に支持的に連結する手段を含む請求項１記載の吊し用器具。
【国際調査報告】
2007534366.tif 000041
2007534366.tif 000042